(57)【特許請求の範囲】
【請求項１】
線材が、一連に平たく折り曲がって成るクリップであって、
略一周する外枠部（Ａ）と、外枠部の一端から外枠部の内側に曲り込んだ内入部（Ｂ）とで成り、
間口に通じる導入経路となる内入部（Ｂ）と外枠部（Ａ）との間が、一定の間隔（Ｃ）をとって成る、ことを特徴としたクリップ。
【請求項２】
線材が、一連に平たく折り曲がって成るクリップであって、
略一周する外枠部（Ａ）と、外枠部の一端から外枠部の内側に曲り込んだ内入部（Ｂ）とで成り、
内入部（Ｂ）は、外枠部（Ａ）に一定の間隔（Ｃ）をとって成る、
尚、外枠部の端部分（ａ）が、挟み付けるための開いた間口を成す、ことを特徴としたクリップ。
【請求項３】
線材が、一連に平たく折り曲がって成るクリップであって、
略一周する外枠部（Ａ）と、外枠部の一端から外枠部の内側に曲り込んだ内入部（Ｂ）とで成り、
間口に通じる導入経路となる内入部（Ｂ）と外枠部（Ａ）との間が、一定の間隔（Ｃ）をとって成る、
尚、内入部（Ｂ）の端部分（ｂ）が、内側に折り曲がり、外枠部（Ａ）の端部分（ａ）が、外側に折り曲がって成る、ことを特徴としたクリップ。
【発明の詳細な説明】
【技術分野】
【０００１】
本クリップは、板あるいは板状のものに広告紙片等の紙片を掲示する、あるいは挟み付けるためのクリップである。
【０００２】
スーパーストアー、ドラッグストアー、八百屋などでは、段ボール箱の蓋あるいは段ボール箱の上半部を切り取り、商品が入ったままの状態で箱ごと陳列している実状がある。
本クリップは、主として段ボール箱の切り口の縁に、チラシ、値札などの広告紙片を掲示する用途を念頭にしたものである。
【背景技術】
【０００３】
従来、似たようなかたちのものに特許文献１のクリップがある。
本出願のものは、平たく折り曲がって成るものであるが、特許文献１のものは立体を成すものである、また、本クリップと同様の使い方ができるものではない。
【先行技術文献】
【特許文献】
【０００４】
【特許文献１】米国特許第１５５１６５２号
【発明の概要】
【発明が解決しようとする課題】
【０００５】
掲示した広告紙片、即ち、挟み付けた紙片がずり落ちないよう、しっかり挟み押えることができるクリップを得ること。
付け外しが容易なものであること。
広告紙片を掲示するクリップとして、邪魔になる部分をもたないこと。
【課題を解決するための手段】
【０００６】
線材が平たく折り曲がって成るクリップであって、略四辺形あるいは略多辺形に、略一周する外枠部（Ａ）と、外枠部の一端から外枠部の内側に曲り込んだ内入部（Ｂ）とで成る、内入部（Ｂ）は、外枠部（Ａ）に一定の間隔をとって成る、あるいは外枠部の端部分（ａ）が、挟み付けるための開いた間口を成す、ものである。
【発明の効果】
【０００７】
縦横に張る線を以って挟み押えることにより、掲示紙片をしっかり挟持するものになった。
挟み付ける対象の板厚に、柔軟に対応できるクリップを得た。
付け外しが、スムーズに行えるものとなった。
【図面の簡単な説明】
【０００８】
【図１】本発明のクリップである。
【図２】使用の様子を示したである。
【図３】本発明のクリップである。
【図４】使用方法を説明した図である。
【図５】本発明のクリップである。
【図６】本発明のクリップである。
【図７】本発明のクリップである。
【図８】本発明のクリップである。
【図９】本発明のクリップである。
【図１０】本発明のクリップである。
【図１１】本発明のクリップである。
【図１２】本発明のクリップである。
【発明を実施するための形態】
【０００９】
図を追って、実施例を説明する。
【００１０】
図１を説明する。
図１に示すクリップは、線材を平たく折り曲げて成したものである。
外辺Ａ１、Ａ２、Ａ３、Ａ４で成す略四辺形に折り曲がった外枠部（Ａ）と、外枠部の一端から外枠部の内側に曲り込んだ内入部（Ｂ）とで成り、内入部（Ｂ）は、外枠部（Ａ）に一定の間隔（Ｃ）をとって成る。
尚、内入部（Ｂ）の端部分（ｂ）は内側に折り曲がり、外枠部（Ａ）の端部分（ａ）は、外側に折り曲がって成るものである。
【００１１】
図１に示すクリップの特徴は、外枠部（Ａ）の端（ａ）を外側に折り曲げて、挟み付けるための開いた間口を成し、内入部（Ｂ）は、外枠部（Ａ）との間を一定の間隔（Ｃ）をとって、挟み付けるための導入経路を成したものである。
【００１２】
図２を説明する。
図２は、図１に示した本クリップを以って、蓋を切り取った段ボール箱（Ｅ）の縁に、広告紙片（Ｆ）を挟み付けた（掲示した）様子を示した図である。
【００１３】
図３を説明する。
図３は、本クリップの原形あるいは基本形を説明するものである。
【００１４】
内入部（Ｂ）については、図３(１)に示すように、外辺Ａ１に対向する内辺Ｂ１を成すものにするか、あるいは図３(２)に示すように、外辺Ａ１とＡ２に対向する内辺Ｂ１、Ｂ２を成すものにするかは、任意に決めて良い。
云いかえるなら、内入部は、略一周する外枠部に対して、外枠部の内側を略４分の１周ないし略半周するかたちを取るものである。
【００１５】
図３(１)(２)に示したものは、内入部（Ｂ）が、外枠部（Ａ）に一定の間隔（Ｃ）をとって成るものである、また、外辺Ａ１の端（ａ）について、挟み付けるための間口として、やや外方に開いた（折り曲げた）かたちを取ったものである。
【００１６】
図３(３)に示したものは、図３(１)(２)に対比して、例えば図３(３)に示すように導入経路の径（Ｃ）を、一定の間隔以上の充分な間隔をとった場合には、外辺Ａ１の端（ａ）について、必ずしも外方に折り曲げたかたちをとる必要はないことを説明するものである。
因みに、一定の間隔とは、挟み付ける対象の板（Ｅ）の厚みに見合う幅、あるいは厚みに対応する幅を云う。
【００１７】
翻って、あらためて図１について説明する。
図１は、図３に示した原形あるいは基本形を変形した一例である。図１は、外辺Ａ１の端（ａ）を外側に折り曲げ、挟み付けの間口を滑らかに開いたかたちを成すとともに、まるめ折ることによって線材の切断部分で、人が怪我をしないようにしたものでもある。
尚、図１に示したように、外辺Ａ１の端（ａ）のまるめ折りの「かたち」と「大きさ」は、指の腹が適切に当るようにしておくと、取り付けた（挟み付けた）状態（体勢あるいは姿勢）を調整するとき、あるいは取り外すときに、操作がし易いものになる。
因みに、まるめ折りは、クリップのデザインとして、任意のかたちに折り曲げたものにして良い。
内入部（Ｂ）の端（ｂ）を内側にまるめ折ったのは、付け外しの際に線材の切断部分が突っ掛からないようにしたものである。但し、必ずしも内入部の端（ｂ）は、まるめ折るかたちを取らなければならない、とするものではない。
【００１８】
図４を説明する。
図４は、図１のクリップを、板の縁に挟み付ける様子を説明する図である。
図４(１)に示すように外辺Ａ１を板（Ｅ）の向こう側に引っ掛け、図４(２)に示す体勢に回転させ、図４(３)に示すように押し下げて挟み付けるものである。
【００１９】
図４(３)を以って、本クリップの機能を説明する。
外辺Ａ３は、表側から押える部分（Ａ４、Ｂ１）と、裏側から押える部分（Ａ２、Ａ１）とを折り分ける部分であるとともに、板（Ｅ）の厚みに対応するための部分である。
端的に云うならば、本クリップは縦横に張るＡ４、Ｂ１を以って表側から挟み押え、縦横に張るＡ２、Ａ１を以って裏側から挟み押える、とするものである。
【００２０】
図５を説明する。
図５は、挟み付けた状態に於いてアクセントになるよう、図１を変形させて、内入部（Ｂ）の端（ｂ）について、大きくまるめ折ったものである。また、外枠部（Ａ）の端（ａ）も丸くまるめ折ったかたちにした。
即ち、前記したように、まるめ折りは任意のかたちに折り曲げて良い、とする一例である。
【００２１】
図６を説明する。
図６は、細い線材（１.５ミリ径）を用いて成したもので、０.３〜０.５ミリ厚の薄い板に挟み付けるものとして成したクリップである。該厚みに適うかたちとして内辺Ｂ１と外辺Ａ１との間隔（Ｃ）を、０.５ミリほどにしたものである。
上記したように、極く薄い板厚の板に使用するクリップの場合は、現実的には内辺Ｂ１と外辺Ａ１との間隔（Ｃ）が無いほどに近接するものにもなるが、技術的な概念としては、そこには一定の間隔がある、と見做すものとする。
【００２２】
図７を説明する。
図７は、３ミリ厚の板で成した段ボール箱に挟み付けるものとして、２ミリ径の線材を用いて成したクリップである。該厚みに適うかたちとして、内辺Ｂ１と外辺Ａ１との間隔を３ミリほどにしたものである。
【００２３】
因みに、図５に示したクリップは、５ミリ厚あるいは８ミリ厚の板で成した段ボール箱の縁に挟み付けるものとして、２ミリ径の線材を用いて成したクリップで、該厚みに適うかたちとして、内辺Ｂ１と外辺Ａ１との間隔を８ミリほどにしたものである。
【００２４】
仮りに、同じ太さ（径）、同じ材質の線材を用いたとき、図７に示すものより図６に示すもののように横幅を狭くしたものの方が、バネが強く働くものになる。云いかえるなら、図６に示すものより図７に示すもののように、横幅を広くしたものの方がバネが軟らかく働くものになる。
【００２５】
図８〜１２を説明する。
本クリップは、図１、３、５、６、７に示したクリップに限らず、図８〜１２に示す如きのかたちの変形であっても良い。
本明細書で説明している図は、それぞれが一例である。
因みに、図８〜１２に示すクリップも、請求項１の記載内容に包含されているもの、とする。
【００２６】
図８は、内辺Ｂ１の変形の一例を示した図である。
図９は、図３(１)(２)に於ける外辺Ａ１のａに代わる措置を、内辺Ｂ１に施した一例である。
図１０は、図３(１)(２)に於ける外辺Ａ１のａに代わる外辺Ａ１とａのかたちである。
図１１、１２は、図１〜１０で説明した略四辺形のものと異なる略多辺形の一例を示した図である。
【００２７】
補足説明をする。
実施例では、市販の針金（鉄線）を使用したが、使用する線材の材質、太さなどは、任意に選択して良い。
基本的な機能を損なわない限りに於いて、形状、輪郭、デザイン、大きさなど任意に決めて良い。
本明細書に於いては、略四辺形のもの、及び、略多辺形のものを通して説明したが、略円形あるいは略楕円形のものなど、任意のデザインであって良い。
本発明は、全体の図を通して発明の全容を説明しているものであって、個々の図で説明した技術内容によって、請求項に記載する技術内容が限定されるものではない。
使用途として、段ボール箱の縁に挟み付ける例を説明したが、板状のものに挟み付けるクリップとして多岐に使用できるものである。
【産業上の利用可能性】
【００２８】
現在でも、本図２に示した如き用途に使用できる適切なクリップがない。
実用に適うクリップを得たことで、スーパーストアー、ドラッグストアー、八百屋などの販売促進に役立つことができる。
【符号の説明】
【００２９】
Ａ    外枠部
ａ    外枠部の端部分（導入部の間口を成す部分）
Ｂ    内入部
ｂ    内入部の端部分
Ｃ    導入経路の径（間口から奥行きにかけての径幅）
Ｅ    段ボール箱、板
Ｆ    掲示紙片、紙片
【要約】
【課題】板の縁に掲示する（挟み付ける）広告紙片等の紙片について、ずり落ちないよう、挟み付けることができるものにすること、併せて、挟み付けが容易にできるものとする。
【解決手段】線材が平たく折り曲がって成るクリップであって、略四辺形あるいは略多辺形に、略一周する外枠部（Ａ）と、外枠部の一端から外枠部の内側に曲り込んだ内入部（Ｂ）とで成る。尚、内入部（Ｂ）は、外枠部（Ａ）に一定の間隔をとって成る。外枠部の端部分（ａ）が、外側に折り曲がり、挟み付けるための開いた間口を成すものにした。
【選択図】  図１【図１】
0006043902.tif 000002
【図２】
0006043902.tif 000003
【図３】
0006043902.tif 000004
【図４】
0006043902.tif 000005
【図５】
0006043902.tif 000006
【図６】
0006043902.tif 000007
【図７】
0006043902.tif 000008
【図８】
0006043902.tif 000009
【図９】
0006043902.tif 000010
【図１０】
0006043902.tif 000011
【図１１】
0006043902.tif 000012
【図１２】
0006043902.tif 000013